(57)【要約】【課題】本発明は、照度センサなどの光検知手段を新たに追加せず、従来と比較して低コストにて電池寿命の延長、または消費電力を抑えることのできる衛生洗浄装置を提供することを目的とする。【解決手段】リモコン操作装置１０からの指示信号ａを受信する既存の信号受信手段１１を流用し、操作指示信号ａとして信号受信手段１１が出力する電気信号ｃが直接制御手段１２へ入力される経路とは別に、電気信号ｃが信号平滑回路１４を介して制御手段１２へ入力させる経路を設けることで、電気信号ｃは信号平滑回路１４により直流波形に変換され制御手段１２にてアナログ値として検出される。そして制御手段１２は、入力された電気信号ｃのレベルから外乱光ｂであるトイレ内用照明の点灯・消灯を判断し、指示に基づいて各駆動負荷、例えば表示手段１３の動作・停止の制御を行なう。【選択図】  図１
2006109006.tif 000002
【特許請求の範囲】
【請求項１】
リモコン操作装置によって遠隔操作される第１の負荷駆動装置を備えた衛生洗浄装置において、前記衛生洗浄装置本体に、前記リモコン操作装置からの指示信号を外乱光とともに受信して電気信号として出力する第１の信号受信手段と、前記第１の信号受信手段から出力される電気信号を平滑して直流信号に変換する第１の信号平滑回路と、前記第１の信号平滑回路からの直流信号のレベルに基づいて、前記第１の負荷駆動装置の動作・停止を制御する第１の制御手段とを設けたことを特徴とする衛生洗浄装置。
【請求項２】
前記衛生洗浄装置本体と前記リモコン操作装置とは互いに送受信可能な構成であり、前記リモコン操作装置に、前記衛生洗浄装置本体からの指示信号を外乱光とともに受信して電気信号として出力する第２の信号受信手段と、前記第２の信号受信手段から出力される電気信号を平滑して直流信号に変換する第２の信号平滑回路と、前記第２の信号平滑回路からの直流信号のレベルに基づいて、前記リモコン操作装置における第２の負荷駆動装置の動作・停止を制御する第２の制御手段とを設けたことを特徴とする請求項１記載の衛生洗浄装置。
【請求項３】
前記第１および／または第２の制御手段は、前記第１および／または第２の信号平滑回路の直流信号のレベルが所定の時間、閾値を超えるか低下したときに前記第１および／または第２の負荷駆動装置の動作・停止を制御することを特徴とする請求項１または２に記載の衛生洗浄装置。
【請求項４】
前記第１および／または第２の負荷駆動装置は、表示手段である請求項１から３のいずれかの項に記載の衛生洗浄装置。
【発明の詳細な説明】
【技術分野】
【０００１】
本発明は、局部洗浄機能等を具備するトイレ室内に装置されて利用される衛生洗浄装置に関する。
【背景技術】
【０００２】
従来、衛生洗浄装置において、例えば操作装置には様々な機能の設定状態を表示するための表示部が設けられており、液晶表示部（時計表示部、信号送信確認表示、電池切れ表示等）の消費する電力は、特に電池を電源としたリモコンにおいてはかなりウエイトを占める。そこで操作装置における省エネルギーを考慮してトイレルーム内の照度を検知する照度センサを設け、検出照度が所定以上の時のみ液晶表示部を作動させるなどして節電し、電池寿命を延長させている（たとえば、特許文献１参照）。
同様に衛生洗浄装置本体でも検出した照度に基づき表示部の表示、非表示または加熱手段を制御することで省エネルギーを図っている例もある。
【０００３】
【特許文献１】特開平８−２８００７７号公報
【発明の開示】
【発明が解決しようとする課題】
【０００４】
しかしながら、特許文献１に記載された衛生洗浄装置においては、トイレルーム内の照度を検知するためには、照度センサを別途用意することが必要となり、プリント基板において動作回路を含めた実装スペースを必要とし、さらにコストがかかるという問題点があった。
【０００５】
そこで、本発明は上記の問題点を解決するため、照度センサなどの光検知手段を新たに追加せず、従来と比較して低コストにて電池寿命の延長、または消費電力を抑えることのできる衛生洗浄装置を提供することを目的とする。
【課題を解決するための手段】
【０００６】
上記目的を達成するため、本発明の第１の構成は、リモコン操作装置によって遠隔操作される第１の負荷駆動装置を備えた衛生洗浄装置において、前記衛生洗浄装置本体に、前記リモコン操作装置からの指示信号を外乱光とともに受信して電気信号として出力する第１の信号受信手段と、前記第１の信号受信手段から出力される電気信号を平滑して直流信号に変換する第１の信号平滑回路と、前記第１の信号平滑回路からの直流信号のレベルに基づいて、前記第１の負荷駆動装置の動作・停止を制御する第１の制御手段とを設けたことを特徴としている。これにより無駄な時間帯における電力消費を節約でき、そのうえ実装する部品点数の数量を減らすことができるため、プリント配線基板における駆動回路分の実装スペース、また駆動回路部品のコストを削減することが可能であり、プリント配線基板そのものの小型化、ひいては製品の小型化に寄与することも可能となる。
【０００７】
また、本発明の第２の構成は、前記衛生洗浄装置本体と前記リモコン操作装置とは互いに送受信可能な構成であり、前記リモコン操作装置に、前記衛生洗浄装置本体からの指示信号を外乱光とともに受信して電気信号として出力する第２の信号受信手段と、前記第２の信号受信手段から出力される電気信号を平滑して直流信号に変換する第２の信号平滑回路と、前記第２の信号平滑回路からの直流信号のレベルに基づいて、前記リモコン操作装置における第２の負荷駆動装置の動作・停止を制御する第２の制御手段とを設けたことを特徴としている。
これにより第１の構成の効果と同様にリモコン操作装置における省エネルギーを可能とし、そのうえ実装スペース、コストを削減することが可能であり、リモコン操作装置の小型化に寄与することも可能となる。
【０００８】
本発明の第３の構成は、前記第１および／または第２の制御手段は、前記第１および／または第２の信号平滑回路の直流信号のレベルが所定の時間、閾値を超えるか低下したときに前記第１および／または第２の負荷駆動装置の動作・停止を制御することを特徴としている。
これにより、外乱光が短時間明るくなったり暗くなったりしたときに、いちいち負荷駆動装置が動作・停止することにより高い起動電流が流れたり誤動作をすることを防止でき、制御手段の安定動作が図れる。
【０００９】
本発明の第４の構成は、前記第１および／または第２の負荷駆動装置は、表示手段であることを特徴としている。
これにより、衛生洗浄装置またはリモコン装置の基本的動作は継続させ、不使用時は誰も見ることのない表示手段の動作を停止することで、効果的な省エネルギーを実現することができる。
【発明の効果】
【００１０】
本発明の第１の構成によれば、リモコン操作装置から送信される指示信号を受信する衛生洗浄装置本体に接続されている第１の信号受信手段において、指示信号を含めた外乱光の強度を、第１の信号受信手段からの出力信号を平滑する第１の信号平滑回路を備えることで検出可能となり、第１の信号平滑回路からの直流信号のレベル、つまりは外乱光のレベルに基づいて、第１の負荷駆動装置の動作・停止を制御するように構成したことで、トイレを使用していない夜間の消灯時を検出でき、非使用時には無駄な負荷駆動をさせないよう制御させて電力消費を節約できる。照度センサを使用せずに、もとより備えている第１の信号受信手段を流用して外乱光の検出を行うので、照度センサを含めた回路部品、またプリント配線基板における駆動回路分の実装スペース、また駆動回路部品のコストを削減することが可能であり、プリント配線基板そのものの小型化、ひいては製品の小型化に寄与することも可能となる。
【００１１】
本発明の第２の構成によれば、リモコン装置側にも衛生洗浄装置本体の第１の信号平滑回路および第１の制御手段と同様な第２の信号平滑回路および第２の制御手段を備えたことで、トイレを使用していない夜間の消灯時を検出でき、非使用時には無駄な負荷駆動をさせないよう制御させて電力消費を節約できる。したがって、照度センサを含めた回路部品、またリモコン回路プリント配線基板における駆動回路分の実装スペース、また駆動回路部品のコストを削減することが可能であり、プリント配線基板そのものの小型化、ひいては製品の小型化に寄与することも可能となる。
【００１２】
本発明の第３の構成によれば、外乱光が短時間明るくなったり暗くなったりしたときに、いちいち負荷駆動装置が動作・停止することにより高い起動電流が流れたり誤動作をすることを防止でき、制御手段の安定動作が図れる。
【００１３】
本発明の第４の構成によれば、衛生洗浄装置またはリモコン装置の基本的動作は継続させ、不使用時は誰も見ることのない表示装置の動作を停止することで、効果的な省エネルギーを実現することができる。
【発明を実施するための最良の形態】
【００１４】
以下、本発明の実施の形態を、図１〜図６を参照して説明する。
図１は本発明の第１の実施の形態に係る衛生洗浄装置本体の構成を示すブロック図である。同図に示すように、本実施の形態に係る衛生洗浄装置本体は、操作装置（リモコン）１０からの指示信号ａを受信する信号受信手段１１と、信号受信手段１１が受信した信号の処理を行う制御手段１２と、表示手段１３と、信号平滑回路１４とを備えている。図中３１は衛生洗浄装置本体から操作装置１０に信号を送信する信号送信手段、３２は人体が衛生洗浄装置の近傍に近づいたことを検知する人体検知手段、３３は負荷駆動装置への動作指令を補助的に実行する操作手段、３４は時間を測定する計時手段、３５は局部への洗浄水の噴射を行う局部洗浄手段、３６は局部への温風の噴射を行う局部温風乾燥手段、３７は便座を加温する暖房便座手段、３８は臀部への温風の噴射を行う温風暖房手段、３９は各負荷駆動装置の自動ＯＮ−ＯＦＦを計時手段３４に基いて実行する節電手段、４０は人体検知手段が人体を検知したとき及び非検知状態が所定時間継続したときに便座、便蓋を開閉する便座・便蓋開閉手段、４１は使用後に便器内面を洗浄する便器洗浄手段、４２は便器内部の脱臭を行う脱臭手段である。
【００１５】
ここで、信号受信手段１１は例えば、フォトダイオードなどの受光素子（図示せず）を有し、操作装置１０から送信されてくる赤外線の指示信号ａ、および、共に入力される外乱光ｂを受光し、受光した指示信号ａ，外乱光ｂを電気信号ｃへ変換し、制御手段１２へ出力する。
また、操作指示として電気信号ｃが直接制御手段１２へ入力される経路とは別に、電気信号ｃが信号平滑回路１４を介して入力させる経路を設ける。これにより、パルス状の信号波形である電気信号ｃは、信号平滑回路１４により直流波形に変換され、変換された信号ｄが制御手段１２へ入力され、制御手段１２にてアナログ値として検出される。
そして制御手段１２は、入力された信号ｄから指示信号を判断し、レベルに基づいた各駆動負荷の制御、例えば表示手段１３の表示・非表示を行なう。
【００１６】
図２は信号平滑回路１４の一例を示す回路図である。図において、２１は抵抗、２２はコンデンサ、２３はＧＮＤを示す。この信号平滑回路１４では、抵抗２１の抵抗値Ｒと、コンデンサ２２の容量値Ｃにより決定される定数で高周波がカットされ、信号が平滑される。なお、図２の回路は一例を示すもので、パルス信号を平滑させる回路としてはこれに限ったものではない。
【００１７】
図３は本発明の第１の実施の形態の信号受信手段１１と信号平滑回路１４における入力信号の処理を示す図である。Ｖａは操作装置１０より発信される赤外線の指示信号を、またＶｂは外乱光を示す。Ｖｃは信号受信手段１１により変換された電気信号を示す。Ｖｄは信号平滑回路１４により変換された直流波形である。
信号受信手段１１は任意の閾値を超える指示信号波形ａ以外の外乱光ｂも、信号波形ａと同様に電気信号ｃへ変換してしまい、パルス状の信号を制御手段１２、また信号平滑回路１４へ出力する。そのため、所定値（閾値）Ｌ０以上の強度のインバータ蛍光灯や白熱灯などのトイレ照明などによる外乱光が入力されると信号受信手段１１において、指示信号と同様に電気信号へ変換し、信号平滑回路１４を介して制御手段１２へ入力される。
この別途検出している直流波形に変換された信号ｄにおいては、パルス状の信号が大きいほど、つまりは指示信号ａを含む外乱光ｂの入力が大きく継続されるほど、信号ｄにおけるアナログ値はＬ０側の飽和レベルに近づき、制御手段１２においては外乱光が大きい、つまりトイレ内照明が点灯されていると判断される。
【００１８】
図４は本発明の第１の実施の形態のトイレ装置本体のフローチャートであり、トイレ内における所定値以上の外乱光の強さの継続でトイレ照明の点灯を確定し、負荷駆動装置の制御指示信号を送信する場合のフローチャートを示している。負荷駆動装置として表示手段１３を一例に用いる。制御手段１２は直流波形に変換された信号ｄが所定値Ｌ０を所定時間継続したことを確認すると、表示手段１３の表示・非表示の制御を行う。ステップＳ１３において、制御手段１２で検出する入力Ｖｄが所定値Ｌ０以下を継続する時間をカウントするタイマーＮ１をクリアし、ステップＳ１４へ移行する。ステップＳ１４では入力Ｖｄが所定値Ｌ０以下か判断し、所定値以下ならステップＳ１５へ移行し、所定値Ｌ０より大きい場合はステップＳ１３に戻るようにしている。ステップＳ１５では、入力Ｖｄが所定値Ｌ０以上である継続時間が所定時間Ｔ１以上か判断し、タイマーＮ１が所定時間Ｔ１以上なら、ステップＳ１７へ移行し表示指示信号を送信し、状態を表示中に移行する。タイマーＮ１が所定時間Ｔ１未満なら、ステップＳ１６へ移行し、タイマーのカウントを増やして、ステップＳ１４へ戻るようにしている。この途中で入力Ｖｄが所定値Ｌ０以上となればさらにステップＳ１３にまで戻るようにしている。
【００１９】
一般的に行なわれている、照度を検知する照度センサを用いて室内の照明の点灯・消灯を検出し負荷駆動装置の動作・停止を制御する方法では、照度センサを用意しなくてはならず動作回路を含めるとコスト、占有基板スペースから効率が悪い。
【００２０】
このため、図１のように、操作装置１０の指示信号ａを受信する既存の信号受信手段１１の出力を、別経路にて外乱光ｂの入力レベルとして検出し、衛生洗浄装置の表示手段１３を一例とした負荷駆動装置を駆動することにより、例えば夜間のトイレ内照明の消灯時における無駄な電力消費を抑え、省エネルギーを図ることができる。
【００２１】
以上説明したように、既存の実装されている信号受信手段を流用し、少ない部品追加で、目的とする外乱光の入力状況に基づき負荷を制御することで省エネルギーを図ることができ、またコスト、占有基板スペースが削減できる。
【００２２】
なお、本第１の実施の形態では、負荷駆動装置における制御対象として表示手段を例に示したが、駆動負荷の種類、数を限定するものではない。
【００２３】
図５は本発明の第２の実施の形態に係るリモコン操作装置における構成を示すブロック図、図６は衛生洗浄装置の一例の外観図である。本実施の形態のリモコン操作装置１０においては、衛生洗浄装置本体５０からの指示信号ａ１を受信する信号受信手段５１と、信号受信手段５１が受信した信号の処理を行う制御手段５２と、表示手段５３と、信号平滑回路５４とを備えている。なお、図５中、５５は衛生洗浄装置本体５０に対して信号を送信する信号送信手段、５６は機能操作手段、５７は設定操作手段、５８は電池等の電源を示している。また、図６中、２は衛生洗浄装置、３ａは便座、３ｂは便蓋、６１はトイレ内照明を示している。
【００２４】
ここで、信号受信手段５１は例えば、フォトダイオードなどの受光素子（図示せず）を有し、衛生洗浄装置本体５０から送信されてくる赤外線の指示信号ａ１、および、共に入力される外乱光ｂ１を受光し、受光した指示信号ａ１，外乱光ｂ１を電気信号ｃ１へ変換し、制御手段５２へ出力する。
【００２５】
また、操作指示として電気信号ｃ１が直接制御手段５２へ入力される経路とは別に、電気信号ｃ２が信号平滑回路５４を介して入力させる経路を設ける。これにより、パルス状の信号波形である電気信号ｃ１は、信号平滑回路５４により直流波形に変換され、変換された信号ｄ１が制御手段５２へ入力され、制御手段５２にてアナログ値として検出される。
そして制御手段５２は、入力された信号ｄ１から指示信号を判断し、レベルに基づいた各駆動負荷の制御、例えば表示手段５３の表示・非表示を行なう。
その他の動作については、第１の実施の形態と同様であるので、説明を省略する。
【００２６】
この第２の実施の形態においては、衛生洗浄装置本体５０と同様に、リモコン操作装置１０においても省エネルギーを行なうことができ、電池寿命の延命、またコスト、占有基板スペースが削減できる。なお、リモコン操作装置１０の電源５８は、電池式に限定したものではない。
【００２７】
以上説明したように本発明の衛生洗浄装置の負荷は、夜間すなわち使用頻度のきわめて少ない時は、負荷をＯＦＦして待機し、またヒータであれば低温制御することで実使用上支障なく省エネルギーを図ることができる。また、照度センサを新たに追加せずに信号受信手段を流用する構成により、部品点数を増やすことないため、プリント配線基板における駆動回路分の実装スペース、駆動回路部品のコストを削減することが可能であり、衛生洗浄装置のコストも減少することとなる。また、製品全体の小型化に寄与することも可能となる。
【産業上の利用可能性】
【００２８】
本発明は、照度センサを新たに設けることなく、外乱光の多少を信号受信手段により検出して省エネルギーを図ることのできる衛生洗浄装置およびリモコン装置に好適に利用することができる。
【図面の簡単な説明】
【００２９】
【図１】本発明の第１の実施の形態の衛生洗浄装置本体の構成を示すブロック図である。
【図２】本発明の第１の実施の形態の衛生洗浄装置本体に備えられた信号平滑回路の例を示す回路図である。
【図３】本発明の第１の実施の形態の信号受信手段と信号平滑回路における入力信号の処理を示す図である。
【図４】本発明の第１の実施の形態のトイレ装置本体のフローチャートである。
【図５】本発明の第２の実施の形態のリモコン操作装置における一例の構成を示すブロック図である。
【図６】衛生洗浄装置の一例の外観図である。
【符号の説明】
【００３０】
２  衛生洗浄装置
３ａ  便座
３ｂ  便蓋
ａ，ａ１  指示信号
ｂ，ｂ１  外乱光
ｃ，ｃ１  電気信号
ｄ，ｄ１  信号
１０  リモコン操作装置
１１，５１  信号受信手段
１２，５２  制御手段
１３，５３  表示手段
１４，５４  信号平滑回路
２１  抵抗
２２  コンデンサ
２３  ＧＮＤ
３１  信号送信手段
３２  人体検知手段
３３  操作手段
３４  計時手段
３５  局部洗浄手段
３６  局部温風乾燥手段
３７  暖房便座手段
３８  温風暖房手段
３９  節電手段
４０  便座・便蓋開閉手段
４１  便器洗浄手段
４２  脱臭手段
５０  衛生洗浄装置本体
５５  信号送信手段
５６  機能操作手段
５７  設定操作手段
５８  電源
６１  トイレ内照明
Ｖａ  指示信号入力波形
Ｖｂ  外乱光入力波形
Ｖｃ  信号受信手段出力波形
Ｖｄ  平滑回路出力波形
Ｌ０  所定値（閾値）
Ｔ１  所定時間
【図１】
2006109006.tif 000003
【図２】
2006109006.tif 000004
【図３】
2006109006.tif 000005
【図４】
2006109006.tif 000006
【図５】
2006109006.tif 000007
【図６】
2006109006.tif 000008